(57)【特許請求の範囲】
【請求項１】
全体が筒状体で、全体を縦貫通する装着用のスリットを備え、ゴルフクラブのシャフト部に長手方向で４０〜５ｍｍ以下で当接して連結固定される固定部と、前記固定部に連続してシャフト部の長手方向に突出すると共に、シャフト部と非当接にして、且つ前記装着用スリットと平行なスリットを複数設けて複数に縦分割し、シャフト部振動から独立して振動する振動吸収部とを備えてなることを特徴とするゴルフクラブ用調整具。
【請求項２】
振動吸収部の先端部分のみが、打撃時に一時的にシャフト部と当接する請求項１記載のゴルフクラブ調整具。
【請求項３】
固定部がシャフト部外周面と対応する大きさで、径方向段差を介して前記固定部より径大の振動吸収部を、固定部の一端若しくは両端に突設した金属製筒状体で、振動吸収部を分割するスリットを、固定部を長手方向に貫通し、振動吸収部の先端まで達しない位置まで形成した装着用第二スリットとしてなる請求項１又は２記載の何れかのゴルフクラブ用調整具。
【請求項４】
固定部がシャフト部内周面と対応する大きさで、径方向段差を介して前記固定部より径小の振動吸収部を、固定部の一端若しくは両端に突設した金属製筒状体で、振動吸収部を分割するスリットを、振動吸収部の先端から段差部分まで設けてなる請求項１又は２記載の何れかのゴルフクラブ用調製具。
【請求項５】
振動吸収部とシャフトとの間に、適宜なクッション体を介装してなる請求項１，３，４記載の何れかのゴルフクラブ用調整具。
【請求項６】
請求項１乃至５記載の調整具を、振動吸収部がシャフト部振動から独立して振動する位置に装着してなることを特徴とするゴルフクラブ。
【発明の詳細な説明】
【０００１】
【産業上の利用分野】
本発明はシャフトの撓り調子等の使用感を容易に調整できるゴルフクラブ用調整具及び同調整具を装着したゴルフクラブ並びに調整具の装着位置を決定する調整方法に関するものである。
【０００２】
【従来の技術及び発明が解決しようとする課題】
ゴルフクラブのシャフト部は、スイングによる打撃に際して、効果的な打撃がなされるように適当な撓りが可能であるように形成されている。またこの撓りは、使用者の好みや使用者の能力（スイングスピードや打撃時の手首の利かせ）によってその強弱程度や、撓り中心の位置（先調子や基調子）を定める。
【０００３】
前記の撓り特性に関しては、そのシャフト部の材質、構造、長さ等によって種々変化し、使用者に合わせる手段としては、特公平５−４８１４０号公報に示されているように、上下径が徐々に細くなる鼓形状の芯体をシャフト部内に装着することが提案されている。即ち芯体の中央部分がシャフト部内面と当接し、当接箇所の前後においてシャフト内面との間隙を有するようにして、シャフト部自体の撓りによって前記間隙が無くなり、芯体と衝突することでシャフト部の撓りが制限されているものである。
【０００４】
従って前記した従前の芯体（調整体）を使用した撓り調整は、単にシャフト部の撓りの制限箇所並びに制限範囲（間隙の大きさ）を調整するにすぎないものである。このため撓りを生ずる強さの調整はシャフト部自体の材質のみに限定され、撓り特性に関しての各個人の微妙な要求には対応できない。
【０００５】
そこで先に本願発明者は、シャフト部内に密挿されてシャフト部の撓りに充分に影響を与える程度の長さの筒状体で、中間部分を残し、上下筒口からの複数の縦切り込みを、均一な隣接間隔で形成した調整体を、シャフト部内の適宜位置に切り込みのない中間部分を固着してなる調整体の使用を提案した（特開２０００−６１０１４号）。
【０００６】
更にその後の検討で、使用者各人の好みは、単に撓り感覚以外にも、打撃時や打撃後は勿論のこと、クラブの振り上げ振り下ろし時にも、ヘッド重量が手に伝わる微妙な振動があり、この振動が使用感に大きな影響を与えることが分かった。更に打撃前のシャフト部振動は、当然エネルギーロスにもなる。
【０００７】
そこで本発明は、シャフト部の振動を抑える調整具及びその調整具の各人の使用クラブに対応した最適取付壱を決定する調整方法を提案したものである。
【０００８】
【課題を解決するための手段】
本発明に係るゴルフクラブ用調整具は、ゴルフクラブのシャフト部に長手方向で４０〜５ｍｍ以下で当接して連結固定される固定部と、前記固定部に連続してシャフトの長手方向に突出すると共に、シャフト部と非当接にしてシャフト部振動から独立して振動する振動吸収部とを備えてなることを特徴とするものである。
【０００９】
また特に前記調整具において、振動吸収部の先端部分のみが、打撃時に一時的にシャフト部と当接するようにしたことを特徴とするものである。
【００１０】
また本発明に係るゴルフクラブは、前記の調整具をシャフト部の適宜箇所に装着してなることを特徴とするものである。
【００１１】
尚長さ４０〜５ｍｍ以下のシャフト当接部を備え、当該当接部でシャフトを押圧固定する試験具を、シャフトの適宜数カ所に装着して試打し、使用者にとって最適な位置を検出して、前記の調整具の装着位置を決定することができる。
【００１２】
而して調整具を装着したゴルフクラブは、シャフト部に振動が生ずると、固定部を介して振動吸収部がシャフト部振動と独立して振動して、シャフト部振動を減衰させることになる。従ってシャフト部振動が短時間で抑えられることになって、振動自体を少なくしてしまう。
【００１３】
更に打撃時に振動吸収部の先端部分が一時的にシャフト部と当接すると、振動吸収部の反発力がシャフト部の戻り撓り時の力、所謂「ため」となってシャフト部の反発力を増加させる。
【００１４】
また振動の減衰の程度と、シャフト部の撓り特性など、各人の使用感によって調整具装着位置の微調整が必要となるので、各人が使用する若しくは購入するゴルフクラブにおいて、試験具の装着位置を変更しながら試打を繰り返し、使用感の最適位置を決定して、当該位置に調整具を装着すると、使用者の好みに対応したシャフト性能を備えたゴルフクラブを得ることができる。
【００１５】
【発明の実施の形態】
次に本発明の第一実施形態について説明する。第一実施形態は、シャフト部の外部に取り付ける調整具である。
【００１６】
図１及び図２は、本発明の調整具１の第一実施形態の第一実施例を示したもので、この実施例の調整具１は、ゴルフクラブにおけるヘッド部２とシャフト部３の連結箇所である所謂ソケット部に装着するものである。
【００１７】
調整具１は、金属製あるいは樹脂製の筒状体で、例えばジュラルミン特殊合金を、削り出しでシャフト部３の外周面に装着できる大きさであって、長さが２０〜５ｍｍ（最適範囲は１５〜１２ｍｍであり、樹脂製の場合には金属製よりも長い固定部となり４０ｍｍ以下とする。）の径小部（固定部）１１と、径小部１１の一端側に連続する長さが３０〜１０ｍｍの径大部（振動吸収部）１２とを設けた段差のある筒状体に形成する。そしてこの筒状体に長手方向に全体を貫通する装着用第一スリット１３を穿設し、更に径小部（固定部）１１の端部から段差部分を越えて径大部１２に至るまで径小部１１及び径大部１２を適宜に複数縦分割する装着用第二スリット１４を設けてなる。
【００１８】
しかして前記調整具１は、径大部（振動吸収部）１２をヘッド部２側にして、シャフト部３におけるソケット部の外周面に装着する。この調整具１の固定は、径小部（固定部）１１の外周にテープＡを巻装しても良く、また固定部１１の内面に粘着テープを貼着しておいても良い。
【００１９】
特に前記の装着に際して装着用第一スリット１３を大きく開くことで調整具１をシャフト部３に容易に巻き付けることができ、更に装着用第二スリット１４によって固定部１１全体をシャフト部３の外周面に密着させることができるので、調整具１を正常に固定装着できるものである。
【００２０】
而して、調整具１を装着固定したゴルフクラブを以て打撃すると、打撃前のクラブの振り上げ振り下げ時のヘッド部２の重量とシャフト部３の撓りからシャフト部３に振動が発生するが、シャフト部３と非当接状態にある振動吸収部１２がシャフト部３の振動に対応して振動して、非共振状態であれば、シャフト振動を抑制するに作用する。
【００２１】
従って打撃時のヘッド部２の揺れが抑制され、打撃効率に優れることになり、結果的に飛距離を伸ばし、打球方向性を向上させることになる。更に打撃後のシャフト部の振動も振動吸収部１２の振動によって早く減衰されることになり、手応えが良好になる。
【００２２】
また図３は第二実施例であり、この実施例の調整具１ａは、前記第一実施例と同様に金属筒状体を採用したもので、筒状体（調整具）１ａの径小部（固定部）１１ａの両端に振動吸収部１２ａを設け、筒状体の長手方向全体を貫通する装着用スリット１３ａを穿設し、更に径大部（振動吸収部）１２ａにおいては、端部から段差部分まで径小部１１ａを適宜に複数縦分割する振動部スリット１４ａを設けてなる。
【００２３】
而してシャフト部３の適宜位置の外周面に固定部１１ａを接着剤などを用いてシャフト３と一体に固定すると、前記の第一実施例と同様にシャフト３の振動が固定部１１ａを通じて振動吸収部１２ａが振動して、シャフト３の振動を減衰させることになる。
【００２４】
図４，５は第三実施例で特にヘッド部２とシャフト３との継ぎ目に採用する調整具１ｂである。この調整具１ｂは、他にクッション体１ｃと鍔体１ｄとを組み合わせてシャフト部３に装着されるものである。
【００２５】
三者は、組み合わせて装着した際にヘッド部２からシャフト３の外周面にスムーズに移行する円錐周面形状で、調整具１ｂは、前記の円錐周面形状の筒体で、形状が基部を固定部１１ｂとし、末広がりの径大部を振動吸収部１２ｂとし、且つ振動部スリット１４ｂを設けて適宜に縦分割してなる。
【００２６】
クッション体１ｃは、振動吸収部１２ｂとシャフト部３の空間に充填するもので、振動吸収部１２ｂの内側の空間に異物が侵入しないようにすると共に、振動減衰を速やかにする効果もある。
【００２７】
鍔体１ｄは、ヘッド部２からシャフト部３へ移行する円錐周面形状部分（露出部）と、前記固定部（基部）１１ｂの内方に位置する部分（差込部）とを備え、両者間は固定部１１ｂの厚みの段差となっている。
【００２８】
而してクッション体１ｃをヘッド部２に連続するシャフト部３に装着ると共に、調整具１ｂでクッション体１ｃを覆い、更に基部（固定部）１１ｂを、シャフト部３に固定した鍔体１ｄの差込部の外周に固定する。従って先の実施例と同様に調整具１ｂによってシャフト振動の減衰を行うものである
【００２９】
第二実施形態は、シャフト部３の内面に装着する調整具で、図６、７は第二実施形態の実施例（第四実施例）を示すもので、次にこの第四実施例の調整具４について説明する。
【００３０】
調整具４は、前記第一実施形態の調整具１と同様に金属製あるいは樹脂製の筒状体で、前記筒状体は、シャフト部３の内周面に装着できる大きさで長さが２０〜８ｍｍ（最適範囲は１５〜１２ｍｍ：樹脂製の場合はもっと長くする）の径大部（固定部）４１と、径大部４１の両端に連続する長さが３０〜１０ｍｍの径小部（振動吸収部）４２とを設けた段差のある筒状体に形成する。
【００３１】
更に前記筒状体には、長手方向に全体を貫通しする装着スリット４３を穿設すると共に、径小部（振動吸収部）４２の端部から段差部分まで径小部４２を適宜に縦分割する振動部スリット４４を設けてなる。
【００３２】
しかして前記調整具４は、シャフト部３内の適宜位置（通常は、中間乃至中間よりやや先端寄りの付近とするもので、詳細な位置決定は、後述する試験具５の使用によって決定する）に挿入し、径大部（固定部）４１をシャフト部３の内面に固着するものである。尚前記の固定に際して、装着用スリット４３によって調整具４を細く圧して差し込み予め接着剤を塗布しておいた固定箇所で放置すると、調整具４自体の開拡弾性力で所望箇所に密着固定させることができる。
【００３３】
前記調整具４をシャフト部３に内装したクラブは、そのスイングに際してのシャフト部３の撓りが、調整具４の固定部４１によって変更されることになる。即ちシャフト部３がそのスイング動作によって撓もうとすると、調整具４でその撓り自体を抑制することになり、その抑制程度は、調整具４自体の撓り強度（調整具の材質や寸法：厚みと長さ）によって定まることになる。
【００３４】
更に調整具４は、径小部（振動吸収部）４２を備えていることになるので、前記の第一実施形態と同様に、スイングに際して生ずるシャフト部３の振動は、径小部（振動吸収部）４２の振動によって減衰されることになり、前記第一実施形態と同様に、打撃時のヘッド部２の微小揺れが抑制され、打撃効率に優れることになり、飛距離を伸ばし、打球方向性を向上させる。
【００３５】
前記の調整具４において、径小部（振動吸収部）４２の径の大きさを選択することによって、シャフト部３の撓り時に径小部（振動吸収部）４２がシャフト部３の内周面に当接する要する場合と、全く当接しない様にすることも可能である。この選択は各人の好みによって選択できる。
【００３６】
即ちシャフト部３の撓り時に、径小部（振動吸収部）４２の先端が当接すると、径小部（振動吸収部）４２は、シャフト部３によって煽られることになる。従ってこの煽りによる反発力がシャフト部３の戻り撓り時の力（ため）となってシャフトの反発力を増加させる。尚非当接時は勿論のこと当接時にも振動減衰力として作用することは当然である。
【００３７】
尚図８の第五実施例に示すように固定部４１の一端側のみに振動吸収部４２を設ける調整具４ａであっても良い。
【００３８】
前記の調整具４の取付位置でシャフト部３の撓り特性が変化することになるので、各人の使用感に基づく最適に調整具４を装着固定する必要がある。そこで更に調整具４の取付位置を決定する調整方法を提案したものである。
【００３９】
調整方法に使用する試験具５は、図９，１０に示した通りである。図示した試験具５は、二個の挟持体５１ａ，５１ｂで構成される。
【００４０】
挟持体５１ａ，５１ｂは、対称形状に設けたもので、対向面に湾曲凹部を設けると共に、凹部面に前記調整具の固定部と同様な長さが２０〜８ｍｍ（最適範囲は１５〜１２ｍｍ）の当接突部５２ａ，５２ｂを形成してなる。更に両挟持体は、一端側に基部を枢結した固定ネジ棒５３ａ，５３ｂ及び固定ネジ棒に螺合する緊締ナット５４ａ，５４ｂを設け、挟持体５１ａの前記固定ネジの枢結側と反対側には、他方挟持体５１ｂの固定ネジ５３ｂの装着を外部から可能とした装着溝５５ａを設け、他方の挟持体５１ｂには、装着孔５５ｂを形成してなる。
【００４１】
而して一方の挟持体５１ａの固定ネジ５３ａを他方挟持体５１ｂの装着孔５５ｂに挿通して挟持体５１ａ，５１ｂを開閉自在に組み合わせ、シャフト部３の所望の位置で挟持体５１ａ，５１ｂを合わせ、固定ネジ５３ｂを装着溝５５ａに差し入れ、各緊締ナット５４ａ，５４ｂを螺合挟圧すると、シャフト部３を当接突部５２ａ，５２ｂのみで挟圧して固定されることになる。そこで当該ゴルフクラブの使用者に試打を行わせる。
【００４２】
試験具５の取付位置を変更して試打を繰り返すことで、使用者に最適な位置を検出し、前記の調整具４の装着位置を決定するものである。
【００４３】
従って調整具４の取付位置を決定し、調整具４を取り付けると、使用者の好みに合い、また調整具４の機能を発揮するゴルフクラブを提供できる。
【００４４】
【発明の効果】
以上のように本発明は、シャフトに長手方向で４０〜５ｍｍ以下で当接して連結固定される固定部と、前記固定部に連続してシャフトの長手方向に突出すると共に、シャフトと非当接にした振動吸収部とを備えてなるゴルフクラブの調整具で、調整具の装着でシャフト振動の減衰能力を高め、ゴルフクラブの飛距離や方向性を向上させると共に、使用者の好みに対応したシャフト性能を備えたゴルフクラブを提供できるものである。
【図面の簡単な説明】
【図１】本発明の調整具の第一実施形態（第一実施例）の全体図で、（イ）は正面図（ロ）は側面図（ハ）は平面図。
【図２】同装着状態の説明図。
【図３】同第二実施例の装着状態の説明図。
【図４】同第三実施例の装着状態の説明図。
【図５】同第三実施例の分解斜視図。
【図６】同調整具の第二実施形態（第四実施例）の全体斜視図。
【図７】同装着状態の説明図。
【図８】同第五実施例の全体斜視図。
【図９】同試験具の分解斜視図。
【図１０】同使用状態の説明図。
【符号の説明】
１，１ａ，１ｂ      調整具
１ｃ    クッション体
１ｄ    鍔体
１１，１１ａ，１１ｂ    径小部（固定部）
１２，１２ａ，１２ｂ    径大部（振動吸収部）
１３，１３ａ    装着用第一スリット
１４    装着用第二スリット
１４ａ，１４ｂ    振動部スリット
２      ヘッド部
３      シャフト部
４，４ａ      調整具
４１    径大部（固定部）
４２    径小部（振動吸収部）
４３    装着スリット
４４    振動部スリット
５      試験具
５１ａ，５１ｂ    挟持体
５２ａ，５２ｂ    当接突部
５３ａ，５３ｂ    固定ネジ棒
５４ａ，５４ｂ    緊締ナット
５５ａ    装着溝
５５ｂ    装着孔
【図１】
0004077620.tif 000002
【図２】
0004077620.tif 000003
【図３】
0004077620.tif 000004
【図４】
0004077620.tif 000005
【図５】
0004077620.tif 000006
【図６】
0004077620.tif 000007
【図７】
0004077620.tif 000008
【図８】
0004077620.tif 000009
【図９】
0004077620.tif 000010
【図１０】
0004077620.tif 000011